(57)【要約】【課題】反射板で熱線を照射範囲内に絞り、天板内に納めた椅子を照射範囲に入り難くする。【解決手段】本高脚コタツ１を、天板２と、天板２の下面に設けられたヒータユニット５と、ヒータユニット５を覆うカバー６とで構成する。ヒータユニット５を、発熱体５１と、発熱体５１から放射された熱線を下方へ反射させる反射板５２とで構成する。反射板５２を、発熱体５１に沿うとともに発熱体５１の上方から両側に亘る位置に配置し、発熱体５１から放射された熱線を反射させる開口部５３を備えるように形成された第１反射部５４と、第１反射部５４の開口部５３から照射範囲外へ照射された熱線を反射させ照射範囲内へ照射するように、第１反射部５４の開口部５３の端辺から内側へ突設された第２反射部５５とで構成する。カバー６を、第２反射部５５に対して、略平行に配置された面取り部７を備えるように構成する。【選択図】図１
2007240115.tif 000002
【特許請求の範囲】
【請求項１】
熱線を放射する長尺の発熱体と、発熱体から放射された熱線を反射させ下方の照射範囲内へ照射させる反射板と、を有してなるヒータユニットであって、
反射板は、
発熱体の長手方向に沿うとともに発熱体の上方から短手方向両側の下方に亘る位置に配置され、
長手方向に直交する断面が、
熱線を反射させ下方へ照射する開口部を備える第１反射部と、第１反射部の開口部から照射範囲外へ照射された熱線を反射させ照射範囲内へ照射するように、第１反射部の開口部の端辺から内側へ突設された第２反射部と、を備えてなる、
ことを特徴とするヒータユニット。
【請求項２】
天板の下側に設けられた請求項１のヒータユニットと、
ヒータユニットを覆うとともに、ヒータユニットの長手方向に直交する断面が、第２反射部に沿う面取り部を有してなるカバー部と、を備えてなる、
ことを特徴とする高脚コタツ。
【発明の詳細な説明】
【技術分野】
【０００１】
本発明は、ヒータユニット、及びこのヒータユニットを設けてなる高脚コタツに関する。
【背景技術】
【０００２】
近年、座卓天板の下面にヒータユニットを設けてなる、いわゆるコタツの他に、フローリング床のダイニングキッチン等で使用されるテーブルとして、足下の暖を採るために天板の下面にヒータユニットが取り付けされてなる椅子使用型のコタツ、いわゆる高脚コタツが広く使用されるようになってきている。通常、高脚コタツでは、椅子を天板内に納める際に椅子とヒータユニットとがぶつからないようにするため、特許文献１に記載されているように、ヒータユニットの厚みを抑えてできるだけ扁平形状に形成して構成されていた。
【０００３】
【特許文献１】特開２００２−３６４８５１号公報
【発明の開示】
【発明が解決しようとする課題】
【０００４】
しかし、ヒータユニットが熱源から放射された熱線を反射板で反射させる構造の場合、反射板も扁平形状となるため、熱線を一定範囲内に集中させることは困難であり、熱線は広範囲に照射されることになる。したがって、例えば、熱源に近い位置にある座者の膝付近が適温となるように熱線の放射量を調整すると、熱源から離れた位置にある座者の足先が暖まり難くなる。また、椅子を天板内に納めた状態では、椅子の奥端部が熱線の照射範囲内に入り易くなり、不注意により熱源を通電させたままにした場合には椅子が部分的に高温になり易い。また椅子に座布団等のクッションを敷いた場合には、椅子の奥端部から垂れ下がった部分等が、より熱源に近づくとともに、さらに照射範囲内に入り易くなり、一層高温となる可能性が高まる点で問題があった。
【０００５】
そこで、本発明は上記課題に鑑み、反射板で熱線を照射範囲内に絞ることができるヒータユニット、及び、足先付近等の所定位置を暖め易くできるとともに天板内に納めた椅子を照射範囲に入り難くできる高脚コタツの提供を課題とする。
【課題を解決するための手段】
【０００６】
上記課題を解決するため、請求項１の発明に係るヒータユニットは、熱線を放射する長尺の発熱体と、発熱体から放射された熱線を反射させ下方の照射範囲内へ照射させる反射板と、を有してなるヒータユニットであって、反射板は、発熱体の長手方向に沿うとともに発熱体の上方から両側の下方に亘る位置に配置され、長手方向に直交する断面が、熱線を反射させ下方へ照射する開口部を備える第１反射部と、第１反射部の開口部から照射範囲外へ照射された熱線を反射させ照射範囲内へ照射するように、第１反射部の開口部の端辺から内側へ突設された第２反射部と、を備えてなるように構成される。
【０００７】
請求項２の発明に係る高脚コタツは、天板の下側に設けられた請求項１のヒータユニットと、ヒータユニットを覆うとともに、ヒータユニットの長手方向に直交する断面が、第２反射部に沿う面取り部を有してなるカバー部と、を備えてなるように構成される。ここで、高脚コタツとは、例えばフローリング床のダイニングキッチン等で使用されるものであり、足下の暖を採るため、天板の下側に発熱体が設けられた椅子使用型のコタツをいう。
【発明の効果】
【０００８】
請求項１の発明によれば、発熱体から放射された熱線を下方へ集中させ、熱線の照射範囲を絞ることができる。
【０００９】
請求項２の発明によれば、熱線の照射範囲を絞ることができるので、例えば使用者の足先付近等の所定位置を暖め易くできる。加えて、天板内に納めた椅子を熱線の照射範囲に入り難くでき、例えば発熱体を発熱させたままにした場合であっても椅子の高温化を防ぐことが可能となる。さらに、椅子に座布団等のクッションを敷いた場合であっても、椅子の端部から垂れ下がったクッションの端部をカバーの面取り部に沿って接触させることができる。よって垂れ下がった部分の折れ曲がり方向を発熱体から遠ざかる方向へ誘導可能となり、その場合にはクッションの高温化を防ぐことができる。
【発明を実施するための最良の形態】
【００１０】
以下、本発明を具体化した実施の形態を、図面に基づいて詳細に説明する。
図１は、本発明に係る高脚コタツの一実施形態を示す要部断面説明図である。本高脚コタツ１は、椅子１０の座面に合わせて脚部３により床面から所定高さで横設された天板２と、天板２の下面に設けられたヒータユニット５と、ヒータユニット５を覆うカバー６とを備えて構成されている。
【００１１】
ヒータユニット５は、支持部４を介して、天板２の下面中央に設けられている。またヒータユニット５は、長尺棒状の発熱体５１と、発熱体５１から放射された熱線を下方へ反射させる反射板５２とを備えている。
【００１２】
発熱体５１は、熱線としての赤外線を放射するように、コイル状の電熱線を封入してなる石英管ヒータが用いられている。反射板５２は、発熱体５１の長手方向に沿うとともに発熱体５１の上方から両側に亘る位置に配置されている。また、反射板５２は、発熱体５１から放射された熱線を反射させ下方へ照射する開口部５３を備えるように形成された第１反射部５４と、第１反射部５４の開口部５３から照射範囲外へ照射された熱線を反射させ床面に規定した照射範囲内へ照射するように、第１反射部５４の開口部５３の端辺から内側へ突設された第２反射部５５とを備えて構成されている。
【００１３】
第１反射部５４は、発熱体５１の上方から両側の下方へ行くに従って曲率が小さくなるアーチ状の曲線部６０と、曲線部６０の両端辺部から内側へ僅かに折り曲げ形成された直線部６１とによって、長手方向に直交する断面が略逆Ｕ字状に形成されている。この第１反射部５４では、発熱体５１から放射される熱線の大部分を反射させ、発熱体から直接放射された熱線とともに開口部５３から下方へ照射させ、熱線の照射範囲を大略に絞っている。また、第２反射部５５では、第１反射部５４で絞ることができなかった熱線を反射させ、所定の照射範囲内まで絞り込んでいる。
【００１４】
カバー６は、金属網の全面を断熱性素材によって植毛処理してなり、ヒータユニット５の長手方向に直交する断面が、縦長の長方形の下側２個所の角部を面取りした面取り部７を備える形状に形成されている。面取り部７は、第２反射部５５に対して、所定間隔を置き、略平行に配置されている。
【００１５】
このヒータユニット５によれば、第１反射部５４によって、発熱体５１から放射された熱線の大部分を開口部５３から下方へ照射させることができる。さらに第２反射部５５によって、第１反射部５４で絞りきれない熱線を反射させ所定の照射範囲内へ照射させることができる。よって、高脚コタツ１に納めた椅子１０に対して熱線が照射されない照射範囲内に、熱線を絞ることができる。
【００１６】
また、この高脚コタツ１によれば、ヒータユニット５によって熱線を照射範囲内に絞ることができるので、例えば座者の膝付近が適温となるように熱線の放射量を調整した場合であっても、足先付近が照射範囲内に入るように絞れば、足先付近の所定位置を暖め易くできる。加えて、天板２内に納めた椅子１０を熱線の照射範囲に入り難くでき、例えば発熱体５１を通電発熱させたままにした場合であっても椅子１０の高温化を防ぐことが可能となる。さらに、カバー６を椅子１０に座布団等のクッション１１を敷いた場合であっても、椅子１０の端部から垂れ下がったクッション１１の端部をカバー６の面取り部７に沿って接触させることができる。よって垂れ下がった部分の折れ曲がり方向を発熱体５１から遠ざかる方向へ誘導可能となり、その場合にはクッション１１の高温化を防ぐことができる。
【００１７】
尚、本発明は上記実施形態に限定されるものではなく、以下に例示するように、本発明の趣旨を逸脱しない範囲で各部の形状並びに構成を適宜に変更して実施することも可能である。
（１）ヒータユニットは、高脚コタツに限らず、いわゆる掘コタツに用いることも可能である。
（２）高脚コタツは、ヒータユニットの配置位置を上下に調整可能に構成しても良い。
（３）発熱体は、熱線を放射する棒状のものであれば石英管ヒータに限らず、ハロゲンヒータやシーズーヒータ等を用いて構成しても良い。
（４）ヒータユニットは、発熱体に加えて温風送出手段を設けて構成しても良い。このヒータユニットを設けてなる高脚コタツは、コタツ布団等を掛けられるように構成することが望ましい。
【図面の簡単な説明】
【００１８】
【図１】本発明に係る高脚コタツの一実施形態を示す要部断面説明図である。
【符号の説明】
【００１９】
１・・高脚コタツ、２・・天板、３・・脚部、４・・支持部、５・・ヒータユニット、６・・カバー、７・・面取り部、１０・・椅子、５１・・発熱体、５２・・反射板、５３・・開口部、５４・・第１反射部、５５・・第２反射部。
【図１】
2007240115.tif 000003